(57)【要約】【課題】被吸着面が汚れていても、衝撃や振動により落下したり、筆記具尾端部が降下したりするおそれがない、被吸着面との十分な吸着力を有する筆記具を提供する。【解決手段】筆記具本体６のペン先側に着脱自在のキャップ２を備え、前記キャップ２の外面に平板状のマグネット４を設けた筆記具であって、前記マグネット４の吸着面の面積をＡ（平方センチメートル）、前記マグネット４の吸着面の磁束密度をＢ（ミリテスラ）、筆記具１全体の重量をＣ（グラム）とするとき、Ａ×Ｂ／Ｃ＞２０の関係を満たす。【選択図】  図１
2006116901.tif 000002
【特許請求の範囲】
【請求項１】
筆記具本体のペン先側に着脱自在のキャップを備え、前記キャップの外面に、平面状の吸着面を備えたマグネットを設けた筆記具であって、
前記マグネットの吸着面の面積をＡ（平方センチメートル）、前記マグネットの吸着面の磁束密度をＢ（ミリテスラ）、筆記具全体の重量をＣ（グラム）とするとき、
Ａ×Ｂ／Ｃ＞５
の関係を満たすことを特徴とする筆記具。
【請求項２】
筆記具本体のペン先側に着脱自在のキャップを備え、前記キャップの外面に、平面状の吸着面を備えたマグネットを設けた筆記具であって、
前記マグネットの吸着面の面積をＡ（平方センチメートル）、前記マグネットの吸着面の磁束密度をＢ（ミリテスラ）、筆記具全体の重量をＣ（グラム）とするとき、
Ａ×Ｂ／Ｃ＞１２
の関係を満たすことを特徴とする筆記具。
【請求項３】
筆記具本体のペン先側に着脱自在のキャップを備え、前記キャップの外面に、平面状の吸着面を備えたマグネットを設けた筆記具であって、
前記マグネットの吸着面の面積をＡ（平方センチメートル）、前記マグネットの吸着面の磁束密度をＢ（ミリテスラ）、筆記具全体の重量をＣ（グラム）とするとき、
Ａ×Ｂ／Ｃ＞２０
の関係を満たすことを特徴とする筆記具。
【請求項４】
筆記具本体のペン先側にキャップを装着した状態の筆記具において、筆記具の全長をＸとし、マグネットの前端から筆記具の重心までの軸方向の距離をＹとするとき、
Ｙ／Ｘ≦０．４５
の関係を満足する請求項１、２または３記載の筆記具。
【発明の詳細な説明】
【技術分野】
【０００１】
本発明は、筆記具に関する。詳細には、キャップの外面に、平面状の吸着面を備えたマグネットを設けた筆記具に関する。
【背景技術】
【０００２】
従来、キャップの外面に平板状のマグネットを設け、立設状態のホワイトボード等の筆記板に吸着可能に構成した筆記具が知られている。（例えば、特許文献１）
【０００３】
前記従来の筆記具は、マグネットの吸着面の面積を大きくして吸着力を増加させるとしても、筆記板等の被吸着面が埃や筆跡カス等により汚れていると、被吸着面に強い衝撃や振動が加わった場合、筆記具が被吸着面から落下するおそれがある。
【０００４】
また、従来の筆記具は、筆記板等の被吸着面が埃や筆跡カス等により汚れていると、最初は水平状態（ペン先横向き状態）で被吸着面に吸着保持されていても、筆記具の重量により、筆記具がマグネットを中心に回転し、筆記具の尾端部が降下し、ペン先上向き状態になりがちである。もし、筆記具がペン先上向き状態で被吸着面に吸着保持され、その状態で長期間放置されると、インキのドロップバック現象により、初期書き出し時の筆跡カスレが生じるおそれがある。
【０００５】
【特許文献１】特開２００１−２１３０８８号
【発明の開示】
【発明が解決しようとする課題】
【０００６】
本発明は前記従来の問題点を解決するものであり、被吸着面が汚れていても、衝撃や振動により落下したり、水平状態からペン先上向き状態になるおそれがなく、被吸着面との十分な吸着力を有する筆記具を提供しようとするものである。
【課題を解決するための手段】
【０００７】
本発明は、以下を要件とする。
【０００８】
（請求項１）
筆記具本体のペン先側に着脱自在のキャップを備え、前記キャップの外面に、平面状の吸着面を備えたマグネットを設けた筆記具であって、
前記マグネットの吸着面の面積をＡ（平方センチメートル）、前記マグネットの吸着面の磁束密度をＢ（ミリテスラ）、筆記具全体の重量をＣ（グラム）とするとき、
Ａ×Ｂ／Ｃ＞５
の関係を満たすことを特徴とする筆記具。
【０００９】
（請求項２）
筆記具本体のペン先側に着脱自在のキャップを備え、前記キャップの外面に、平面状の吸着面を備えたマグネットを設けた筆記具であって、
前記マグネットの吸着面の面積をＡ（平方センチメートル）、前記マグネットの吸着面の磁束密度をＢ（ミリテスラ）、筆記具全体の重量をＣ（グラム）とするとき、
Ａ×Ｂ／Ｃ＞１２
の関係を満たすことを特徴とする筆記具。
【００１０】
（請求項３）
筆記具本体のペン先側に着脱自在のキャップを備え、前記キャップの外面に、平面状の吸着面を備えたマグネットを設けた筆記具であって、
前記マグネットの吸着面の面積をＡ（平方センチメートル）、前記マグネットの吸着面の磁束密度をＢ（ミリテスラ）、筆記具全体の重量をＣ（グラム）とするとき、
Ａ×Ｂ／Ｃ＞２０
の関係を満たすことを特徴とする筆記具。
【００１１】
（請求項４）
筆記具本体のペン先側にキャップを装着した状態の筆記具において、筆記具の全長をＸとし、マグネットの前端から筆記具の重心までの軸方向の距離をＹとするとき、          Ｙ／Ｘ≦０．４５
の関係を満足する請求項１、２または３記載の筆記具。
【発明の効果】
【００１２】
請求項１の筆記具は、被吸着面が汚れていても、衝撃や振動により落下するおそれがない。
【００１３】
請求項２の筆記具は、被吸着面が汚れていても、衝撃や振動により落下するおそれがなく、しかも、筆記具尾端部が降下することを回避し、長期にわたり筆記具を水平保持させることができる。
【００１４】
請求項３の筆記具は、被吸着面が汚れていても、衝撃や振動により落下するおそれがなく、しかも、筆記具尾端部が降下することを確実に回避し、より一層、長期にわたり筆記具を水平保持させることができる。
【００１５】
請求項４の筆記具は、より一層、衝撃や振動により落下することを回避できる。
【発明を実施するための最良の形態】
【００１６】
本発明を実施するための最良の形態を説明する。
【００１７】
〔１〕本発明は、筆記具本体６のペン先６１側に着脱自在のキャップ２を備え、前記キャップ２の外面に、平面状の吸着面を備えたマグネット４を設けた筆記具１であって、前記マグネット４の吸着面の面積をＡ（平方センチメートル）、前記マグネット４の吸着面の磁束密度（即ち磁力）をＢ（ミリテスラ）、筆記具１全体の重量をＣ（グラム）とするとき、
Ａ×Ｂ／Ｃ＞５
の関係を満たすこと（請求項１）を要件とする。
【００１８】
前記請求項１の筆記具は、被吸着面が汚れていても、被吸着面に吸着状態で衝撃や振動が加わった際、被筆記面から容易に落下せず、その吸着状態を維持できる。もし、「Ａ×Ｂ／Ｃ」の値が５以下の場合、筆記板等の被吸着面に衝撃や振動が加わると、被筆記面から落下してしまうおそれがある。尚、本発明で、筆記具全体の重量Ｃは、筆記具本体６にキャップ２を装着した状態の重量をいう。
【００１９】
〔２〕また、本発明は、筆記具本体６のペン先６１側に着脱自在のキャップ２を備え、前記キャップ２の外面に、平面状の吸着面を備えたマグネット４を設けた筆記具１であって、前記マグネット４の吸着面の面積をＡ（平方センチメートル）、前記マグネット４の吸着面の磁束密度をＢ（ミリテスラ）、筆記具１全体の重量をＣ（グラム）とするとき、
Ａ×Ｂ／Ｃ＞１２
の関係を満たすことを特徴とする筆記具（請求項２）を要件とする。
【００２０】
前記請求項２の筆記具は、被吸着面が汚れていても、被吸着面に吸着状態で衝撃や振動が加わった際、被筆記面から落下することがなく、その吸着状態を維持できる。さらに、被吸着面が汚れていても、水平状態からペン先上向き状態になることを回避し、水平状態で筆記具を長期にわたり被吸着面に吸着保持することができる。
【００２１】
〔３〕また、本発明は、筆記具本体６のペン先６１側に着脱自在のキャップ２を備え、前記キャップ２の外面に、平面状の吸着面を備えたマグネット４を設けた筆記具１であって、前記マグネット４の吸着面の面積をＡ（平方センチメートル）、前記マグネット４の吸着面の磁束密度をＢ（ミリテスラ）、筆記具１全体の重量をＣ（グラム）とするとき、
Ａ×Ｂ／Ｃ＞２０
の関係を満たすことを特徴とする筆記具（請求項３）を要件とする。
【００２２】
前記請求項３の筆記具は、被吸着面が汚れていても、被吸着面に吸着状態で衝撃や振動が加わった際、被筆記面から落下することがなく、その吸着状態を維持できる。さらに、被吸着面が汚れていても、水平状態からペン先上向き状態になることを回避し、水平状態で筆記具を、より一層、長期にわたり被吸着面に吸着保持することができる。
【００２３】
〔４〕前記筆記具（請求項１、２または３）において、筆記具本体６のペン先６１側にキャップ２を装着した状態の筆記具１において、筆記具１の全長をＸとし、マグネット４の前端から筆記具１の重心Ｇまでの軸方向の距離をＹとするとき、
Ｙ／Ｘ≦０．４５
の関係を満足すること（請求項４）が好ましい。
【００２４】
前記請求項４の筆記具は、重心Ｇの位置が、マグネット４の前端から大きく離れた位置にないため、被吸着面に吸着状態で衝撃や振動が加わった際、より一層、被筆記面から落下することがなく、その吸着状態を維持できる。さらに、前記筆記具の全長Ｘと、マグネットの前端から筆記具の重心Ｇまでの軸方向の距離Ｙの関係は、「Ｙ／Ｘ≦０．４」が好ましく、それにより、衝撃や振動が加わった際の筆記具の確実な耐落下性が得られると同時に、衝撃や振動が加わった際の十分な筆記具の水平保持性が得られる。
【実施例】
【００２５】
図１及び図２に本発明の実施例を示す。
本実施例の筆記具１は、キャップ２と、該キャップ２がペン先６１側の着脱自在な筆記具本体６とからなる。
【００２６】
・キャップ
横断面が略方形状の第１の筒部２１と、横断面が略円形状の第２の筒部２２とが、合成樹脂の射出成形により一体に形成される。前記第１の筒部２１と第２の筒部２２とは、第１の筒部２１後端部及び第２の筒部２２の中間部外面に設けた連結部２３にて一体に連結される。前記連結部２３の前方の第１の筒部２１内には、第２の筒部２２の前部が有底円筒状に前方に突出され、筒状突出部２２ａが形成される。
【００２７】
前記第１の筒部２１は、横断面が略長方形状のイレーザ取付孔２１ａを有し、該イレーザ取付孔２１ａの前端開口部より直方体形状に裁断されたフェルトからなるイレーザ３が圧入される。前記イレーザ３は、前端開口部より外部に突出される。
【００２８】
第１の筒部２１の外側面には、平面状のマグネット取付部が凹設され、該マグネット取付部に平板状のマグネット４が貼着される。前記マグネット４は、第１の筒部２１の外側面より外部に僅かに突出される。また、前記マグネット４の形状は、長方形状の後端に、略三角径、半円形、または半楕円形を延設した形状を有する。前記平板状のマグネット４は、外面に平面状の吸着面を備える。
【００２９】
前記第２の筒部２２の筒状突出部２２ａの内面は、筆記具本体６のペン先側の外面と気密嵌合する。また、前記連結部２３の後方の第２の筒部２２の内面は、筆記具本体６の外面と嵌合する。前記第２の筒部２２の前端部（即ち筒状突出部２２ａの前端部）はイレーザ３の後端面の中央部と当接される。
【００３０】
前記筒状突出部２２ａ内には、キャップ２を装着した際にペン先６１と接触状態となる円柱形状の多孔質含浸体５（例えは、フェルト、繊維の樹脂加工体、プラスチックポーラス体等）が圧入保持される。
【００３１】
・筆記具本体
前記筆記具本体６は、ペン先６１と、該ペン先６１を前端に保持する円筒状の軸筒６２と、該軸筒６２内に収容され且つ前端がペン先６１後端と接続されるインキ吸蔵体６３と、該インキ吸蔵体６３の後端に当接され且つ軸筒６２後端開口部に嵌入される尾栓６４とからなる。
【００３２】
前記ペン先６１は、繊維加工体または多孔質体からなる。前記インキ吸蔵体６３は、繊維収束体からなり、インキが含浸保持される。
【００３３】
・試験結果
表１に、耐落下性と水平保持性の試験結果を示す。
【００３４】
【表１】
2006116901.tif 000003
【００３５】
マグネット４の吸着面の面積Ａ（平方センチメートル）、マグネット４の吸着面の磁束密度Ｂ（ミリテスラ）、筆記具全体の重量Ｃ（グラム）の異なる８種類の筆記具（実施例に示した筆記具と同様の構成）からなる試料を用い、耐落下性及び水平保持性の試験をした。筆記板として、２種類のホワイトボード（塗装板、ホーロー板）を用いた。
【００３６】
・耐落下性の試験
ホワイトボードの被筆記面に、キャップ２を装着した状態の筆記具１のマグネット４をペン先上向き状態で吸着させる。そして、筆記具から手を放した直後を観察し、その次に、被吸着面を手で叩き、振動を与えた結果を評価した。その評価は、被筆記面に振動を与えても筆記具が被吸着面から全く動かないものを「○」、被筆記面に振動を与えた時に筆記具が下方へ移動したものを「△」、筆記具から手を放した直後、被筆記面に振動を与える前に、筆記具がその自重により下方へ移動したものを「×」とした。
【００３７】
・水平保持性の試験
ホワイトボードの被筆記面に、キャップ２を装着した状態の筆記具１のマグネット４を水平状態（ペン先横向き状態）で吸着させる。そして、筆記具から手を放した直後を観察し、その次に、被筆記面を手で叩き、振動を与えた結果を評価した。その評価は、被筆記面に振動を与えても筆記具が被吸着面から全く動かないものを「○」、被筆記面に振動を与えた時に筆記具の尾端部が下降したものを「△」、筆記具から手を放した直後、被筆記面に振動を与える前に、筆記具の尾端部（尾栓側）がその自重により下降しペン先上向き状態となったものを「×」とした。
【図面の簡単な説明】
【００３８】
【図１】本発明の実施例の正面図である。
【図２】図１の縦断面図である。
【符号の説明】
【００３９】
１  筆記具
２  キャップ
２１  第１の筒部
２１ａ  イレーザ取付孔
２２  第２の筒部
２２ａ  筒状突出部
２３  連結部
３  イレーザ
４  マグネット
５  多孔質含浸体
６  筆記具本体
６１  ペン先
６２  軸筒
６３  インキ吸蔵体
６４  尾栓
Ｘ  筆記具の全長
Ｙ  マグネットの前端から筆記具の重心までの軸方向の距離
Ｇ  重心
【図１】
2006116901.tif 000004
【図２】
2006116901.tif 000005